(57)【特許請求の範囲】
【請求項１】
映像を表示する表示装置へ接続するための接続情報を取得する第１取得部と、
前記第１取得部が取得した前記接続情報により前記表示装置に接続する接続部と、
前記接続部が接続した前記表示装置が他の情報処理装置から送信された映像信号の映像を表示しているか否かを示すステータス情報を取得する第２取得部と、
前記第２取得部で取得した前記ステータス情報が、前記映像を表示していることを示す内容であるか判断する判断部と、
メニュー画面を表示する表示部と、を有し、
前記ステータス情報が前記映像を表示していないことを示す内容であると前記判断部が判断した場合、前記表示部は、前記表示装置への映像表示を選択できる第１メニュー画面を表示し、
前記ステータス情報が前記映像を表示していることを示す内容であると前記判断部が判断した場合、前記表示部は、前記表示装置への映像表示を選択できない第２メニュー画面を表示することを特徴とする情報処理装置。
【請求項２】
前記第１メニュー画面と前記第２メニュー画面とは、どちらも前記表示装置に表示された映像の共有を選択できる画面であることを特徴とする、請求項１に記載の情報処理装置。
【請求項３】
前記表示装置は、前記ステータス情報を表示し、
前記第２取得部は、前記表示装置が表示した前記ステータス情報を取得する
請求項１または２に記載の情報処理装置。
【請求項４】
前記第２取得部は、前記接続部が前記表示装置と接続する通信経路を介して前記ステータス情報を取得する
請求項１または２に記載の情報処理装置。
【請求項５】
前記ステータス情報が前記映像を表示していることを示す内容であると前記判断部が判断した場合、映像信号を前記表示装置から取得する第３取得部と、
前記第３取得部が取得した映像信号の映像が前記表示部に表示されるように前記表示部を制御する表示制御部と、を有し、
前記表示制御部は、前記ステータス情報が前記映像を表示していることを示す内容であると前記判断部が判断した場合、前記映像信号を取得する第１項目を含む前記第２メニュー画面が前記表示部に表示されるように前記表示部を制御し、前記ステータス情報が前記映像を表示していないことを示す内容であると前記判断部が判断した場合、映像信号を送信する第２項目を含む前記第１メニュー画面が前記表示部に表示されるように前記表示部を制御し、
前記第３取得部は、前記第１項目を選択する操作が前記第２メニュー画面に対して行われた場合、前記映像信号を前記表示装置から取得し、
当該情報処理装置は、前記第２項目を選択する操作が前記第１メニュー画面に対して行われた場合、映像信号を前記表示装置へ送信する送信手段を有し、
前記表示装置は、前記送信手段が送信した映像信号の映像を表示する
請求項１から請求項４のいずれか一項に記載の情報処理装置。
【請求項６】
前記ステータス情報が前記映像を表示していることを示す内容であると前記判断部が判断した場合、映像信号を前記表示装置から取得する第３取得部と、
前記第３取得部が取得した映像信号の映像が前記表示部に表示されるように前記表示部を制御する表示制御部と、を有し、
前記表示制御部は、前記ステータス情報が前記映像を表示していることを示す内容であると前記判断部が判断した場合、前記映像信号を取得するか否かを選択する画面が前記表示部に表示されるように前記表示部を制御し、
前記第３取得部は、前記画面において、前記映像信号の取得を指示する操作が行われた場合、前記映像信号を前記表示装置から取得する
請求項１から請求項４のいずれか一項に記載の情報処理装置。
【請求項７】
映像を表示する表示装置へ接続するための接続情報を取得する第１取得ステップと、
前記第１取得ステップで取得した前記接続情報により前記表示装置に接続する接続ステップと、
前記接続ステップで接続した前記表示装置が他の情報処理装置から送信された映像信号の映像を表示しているか否かを示すステータス情報を取得する第２取得ステップと、
前記第２取得ステップで取得した前記ステータス情報が、前記映像を表示していることを示す内容であるか判断する判断ステップと、
メニュー画面を表示する表示ステップと、を有し、
前記ステータス情報が前記映像を表示していないことを示す内容であると前記判断ステップで判断した場合、前記表示ステップでは、前記表示装置への映像表示を選択できる第１メニュー画面を表示し、
前記ステータス情報が前記映像を表示していることを示す内容であると前記判断ステップが判断した場合、前記表示ステップでは、前記表示装置への映像表示を選択できない第２メニュー画面を表示することを特徴とする表示方法。
【請求項８】
コンピューターに、
映像を表示する表示装置へ接続するための接続情報を取得する第１取得ステップと、
前記第１取得ステップで取得した前記接続情報により前記表示装置に接続する接続ステップと、
前記接続ステップで接続した前記表示装置が端末装置から送信された映像信号の映像を表示しているか否かを示すステータス情報を取得する第２取得ステップと、
前記第２取得ステップで取得した前記ステータス情報が、前記映像を表示していることを示す内容であるか判断する判断ステップと、
メニュー画面を表示する表示ステップと、を有し、
前記ステータス情報が前記映像を表示していないことを示す内容であると前記判断ステップが判断した場合、前記表示ステップでは、前記表示装置への映像表示を選択できる第１メニュー画面を表示し、
前記ステータス情報が前記映像を表示していることを示す内容であると前記判断ステップが判断した場合、前記表示ステップでは、前記表示装置への映像表示を選択できない第２メニュー画面を表示することを特徴とするステップを実行させるためのプログラム。
【請求項９】
映像を表示する表示装置へ接続するための接続情報を取得する第１取得部と、
前記第１取得部が取得した前記接続情報により前記表示装置に接続する接続部と、
前記接続部が接続した前記表示装置が端末装置から送信された映像信号の映像を表示しているか否かを示すステータス情報を取得する第２取得部と、
前記第２取得部で取得した前記ステータス情報が、前記映像を表示していることを示す内容であるか判断する判断部と、
メニュー画面を表示する表示部と、を有し、
前記ステータス情報が前記映像を表示していないことを示す内容であると前記判断部が判断した場合、前記表示部は、前記表示装置への映像表示を選択できる第１メニュー画面を表示し、
前記ステータス情報が前記映像を表示していることを示す内容であると前記判断部が判断した場合、前記表示部は、前記表示装置への映像表示を選択できない第２メニュー画面を表示することを特徴とする表示システム。
【発明の詳細な説明】
【技術分野】
【０００１】
本発明は、情報処理装置、表示方法、プログラム及び表示システムに関する。
【背景技術】
【０００２】
コンピューターとプロジェクターとをネットワークを介して接続し、プロジェクターで投写される映像を、複数のコンピューターで受信して表示する発明として、例えば特許文献１に開示されたシステムがある。このシステムにおいては、予め定められたプレゼンタＰＣからプロジェクターへ画像データが送信され、送信された画像データの画像がプロジェクターで投写される。また、プレゼンタＰＣ以外のクライアントＰＣは、プロジェクターに対して接続を要求し、接続が許可されると、プロジェクターが投写している画像の画像データを受信し、受信した画像データの画像を表示する。このシステムによれば、プロジェクターで投写されている画像を、ネットワークを介して複数のクライアントＰＣで見ることができる。
【先行技術文献】
【特許文献】
【０００３】
【特許文献１】特開２００４−２８７１６０号公報
【発明の概要】
【発明が解決しようとする課題】
【０００４】
ところで、例えば会議の場においては、複数の者がプロジェクターでプレゼンテーションを行う場合がある。この場合、予め定められたプレゼンタＰＣのみがプロジェクターで画像を投写する構成であると、プレゼンテーションの前に画像データを予めプレゼンタＰＣに移しておく必要があり、手間がかかる。しかし、画像を投写できるＰＣを制限しないようにすると、あるプレゼンターが自身が所有するＰＣでプレゼンテーションを行っている最中に、他のプレゼンターの所有するＰＣから画像データを送られ、投写する画像が切り替わってしまう虞がある。
【０００５】
本発明は、表示装置で映像を表示している装置が既にある場合、新たに接続する装置に対して、表示装置で表示されている映像を共有し、またはメニュー項目を異ならせ、表示装置での映像の表示を不可とする技術を提供する。
【課題を解決するための手段】
【０００６】
本発明は、映像を表示する表示装置へ接続するための接続情報を取得する第１取得部と、前記第１取得部が取得した前記接続情報により前記表示装置に接続する接続部と、前記接続部が接続した前記表示装置が他の情報処理装置から送信された映像信号の映像を表示しているか否かを示すステータス情報を取得する第２取得部と、前記第２取得部で取得した前記ステータス情報が、前記映像を表示していることを示す内容であるか判断する判断部と、前記ステータス情報が前記映像を表示していることを示す内容であると前記判断部が判断した場合、映像信号を前記表示装置から取得する第３取得部と、前記第３取得部が取得した映像信号の映像が表示部に表示されるように前記表示部を制御する表示制御部と、を有する情報処理装置を提供する。
本発明によれば、表示装置で映像を表示している装置が既にある場合、新たに接続する情報処理装置は、表示装置で表示されている映像を共有し、またはメニュー項目を異ならせ、表示装置での映像の表示が不可となる。
【０００７】
本発明においては、前記表示装置は、前記ステータス情報を表示し、前記第２取得部は、前記表示装置が表示した前記ステータス情報を取得する構成としてもよい。
この構成によれば、表示装置と通信を行うことなく、ステータス情報を取得することができる。
【０００８】
本発明においては、前記第２取得部は、前記接続部が前記表示装置と接続する通信経路を介して前記ステータス情報を取得する構成としてもよい。
この構成によれば、表示装置へ接続するとステータス情報を得ることができる。
【０００９】
本発明においては、前記第３取得部は、自装置のユーザーに確認をすることなく前記映像信号を取得する構成としてもよい。
この構成によれば、ユーザーの確認を行わないため、より早く映像を共有することができる。
【００１０】
本発明においては、上記いずれかの構成の情報処理装置であって、前記表示制御部は、前記ステータス情報が前記映像を表示していることを示す内容であると前記判断部が判断した場合、前記映像信号を取得する第１項目を含む第１メニュー画面が前記表示部に表示されるように前記表示部を制御し、前記ステータス情報が前記映像を表示していないことを示す内容であると前記判断部が判断した場合、映像信号を送信する第２項目を含む第２メニュー画面が前記表示部に表示されるように前記表示部を制御し、前記第３取得部は、前記第１項目を選択する操作が前記第１メニュー画面に対して行われた場合、前記映像信号を前記表示装置から取得し、当該情報処理装置は、前記第２項目を選択する操作が前記第２メニュー画面に対して行われた場合、映像信号を前記表示装置へ送信する送信手段を有し、前記表示装置は、前記送信手段が送信した映像信号の映像を表示する構成としてもよい。
この構成によれば、メニュー画面を表示することにより、表示装置で表示されている映像を共有する状態になることをユーザーに対して知らせることができる。
【００１１】
本発明においては、前記表示制御部は、前記ステータス情報が前記映像を表示していることを示す内容であると前記判断部が判断した場合、前記映像信号を取得するか否かを選択する画面が前記表示部に表示されるように前記表示部を制御し、前記第３取得部は、前記画面において、前記映像信号の取得を指示する操作が行われた場合、前記映像信号を前記表示装置から取得する構成としてもよい。
この構成によれば、表示装置で表示されている映像を共有する状態にするか否かをユーザーに選択させることができる。
【００１２】
また、本発明は、映像を表示する表示装置へ接続するための接続情報を取得する第１取得ステップと、前記第１取得ステップで取得した前記接続情報により前記表示装置に接続する接続ステップと、前記接続ステップで接続した前記表示装置が他の情報処理装置から送信された映像信号の映像を表示しているか否かを示すステータス情報を取得する第２取得ステップと、前記第２取得ステップで取得した前記ステータス情報が、前記映像を表示していることを示す内容であるか判断する判断ステップと、前記ステータス情報が前記映像を表示していることを示す内容であると前記判断ステップで判断された場合、映像信号を前記表示装置から取得する第３取得ステップと、前記第３取得ステップで取得された映像信号の映像が表示部に表示されるように前記表示部を制御する表示制御ステップと、を有する表示方法を提供する。
本発明によれば、表示装置で映像を表示している装置が既にある場合、新たに接続する情報処理装置は、表示装置で表示されている映像を共有し、またはメニュー項目を異ならせ、表示装置での映像の表示が不可となる。
【００１３】
また、本発明は、コンピューターに、映像を表示する表示装置へ接続するための接続情報を取得する第１取得ステップと、前記第１取得ステップで取得した前記接続情報により前記表示装置に接続する接続ステップと、前記接続ステップで接続した前記表示装置が端末装置から送信された映像信号の映像を表示しているか否かを示すステータス情報を取得する第２取得ステップと、前記第２取得ステップで取得した前記ステータス情報が、前記映像を表示していることを示す内容であるか判断する判断ステップと、前記ステータス情報が前記映像を表示していることを示す内容であると前記判断ステップで判断された場合、映像信号を前記表示装置から取得する第３取得ステップと、前記第３取得ステップで取得された映像信号の映像が表示部に表示されるように前記表示部を制御する表示制御ステップとを実行させるためのプログラムを提供する。
本発明によれば、表示装置で映像を表示している装置が既にある場合、新たに接続する情報処理装置は、表示装置で表示されている映像を共有し、またはメニュー項目を異ならせ、表示装置での映像の表示が不可となる。
【００１４】
また、本発明は、映像を表示する表示装置へ接続するための接続情報を取得する第１取得部と、前記第１取得部が取得した前記接続情報により前記表示装置に接続する接続部と、前記接続部が接続した前記表示装置が端末装置から送信された映像信号の映像を表示しているか否かを示すステータス情報を取得する第２取得部と、前記第２取得部で取得した前記ステータス情報が、前記映像を表示していることを示す内容であるか判断する判断部と、前記ステータス情報が前記映像を表示していることを示す内容であると前記判断部が判断した場合、映像信号を前記表示装置から取得する第３取得部と、前記第３取得部が取得した映像信号の映像が表示部に表示されるように前記表示部を制御する表示制御部と、を有する情報処理装置と、前記ステータス情報を前記情報処理装置へ送信する第１送信部と、前記映像信号を前記情報処理装置へ送信する第２送信部とを有する表示装置と、を備える表示システムを提供する。
本発明によれば、表示装置で映像を表示している装置が既にある場合、新たに接続する情報処理装置は、表示装置で表示されている映像を共有し、表示装置での映像の表示が不可となる。
【図面の簡単な説明】
【００１５】
【図１】本発明の一実施形態に係る映像表示システムを構成する装置を示した図。
【図２】プロジェクター１のハードウェア構成を示した図。
【図３】端末装置２のハードウェア構成を示したブロック図。
【図４】端末装置２の機能構成を示したブロック図。
【図５】制御部２１が行う処理の流れを示したフローチャート。
【図６】制御部１０が行う処理の流れを示したフローチャート。
【図７】端末装置２に表示される画面の一例を示した図。
【図８】端末装置２に表示される画面の一例を示した図。
【図９】変形例において端末装置に表示される画面の一例を示した図。
【図１０】変形例において端末装置に表示される画面の一例を示した図。
【発明を実施するための形態】
【００１６】
［実施形態］
（実施形態の構成）
図１は、本発明の一実施形態に係る映像表示システムＰＳ１を構成する装置を示した図である。プロジェクター１は、外部装置から供給される映像信号を取得し、取得した映像信号が表す映像を平面のスクリーンＳＣに投写する装置である。本実施形態のプロジェクター１は、短焦点のフロントプロジェクション型の液晶プロジェクターであり、本発明に係る表示装置の一例である。プロジェクター１は、端末装置から送られた映像信号が表す映像を表示する機能や、投写している映像を端末装置２Ａ、２Ｂへ配信する機能を備えている。
本実施形態においては、端末装置２Ａ、２Ｂは、所謂スマートフォンである。端末装置２Ａ、２Ｂは、本発明に係る情報処理装置の一例である。以下、端末装置２Ａ、２Ｂを区別する必要がない場合は、端末装置２と称する。端末装置２は、スクリーンＳＣに投写する映像を示す映像信号をプロジェクター１へ送信する機能や、プロジェクター１がスクリーンＳＣに投写している映像を示す映像信号を受信し、受信した映像信号が示す映像を表示する機能などを有する。なお、端末装置２は、スマートフォンに限定されるものではなく、タブレット端末やデータ通信に特化したコンピューター装置などであってもよい。また、図１においては、端末装置２Ａ、２Ｂを図示しているが、本システムに含まれる端末装置２の数は２台に限定されるものではなく、３台以上であってもよい。
【００１７】
（プロジェクター１の構成）
図２は、プロジェクター１のハードウェア構成を示した図である。操作部１１は、プロジェクター１を操作するための複数のボタンを備えている。操作されたボタンに応じて制御部１０が各部を制御することにより、スクリーンＳＣに投写される映像の調整や、プロジェクター１が有する各種機能の設定などが行われる。ＯＳＤ（On Screen Display）部１５は、制御部１０により制御され、プロジェクター１の各種機能の設定を行うためのメニュー画像や、プロジェクター１が表示する映像の画質を調整するためのメニュー画像、プロジェクター１の状態を示す文字列の画像などを生成し、生成した画像を表すＯＳＤ信号を映像処理部１３へ供給する。
【００１８】
表示部１４は、光源１４１、ライトバルブ１４２、駆動回路１４４及び投写レンズ１４３を有している。光源１４１は、光を発するランプであり、光源１４１が発した光は、図示省略した複数のダイクロイックミラーやミラーによって赤、緑、青の光に分光され、分光された赤、緑、青のそれぞれの光はライトバルブ１４２に導かれる。
【００１９】
駆動回路１４４は、映像処理部１３から供給される映像信号を取得する。駆動回路１４４に供給される映像信号は、投写する映像における赤の成分の階調を表す階調データ、投写する映像における緑の成分の階調を表す階調データ及び投写する映像における青の成分の階調を表す階調データを有する。駆動回路１４４は、赤、緑、青の各色の階調データを抽出し、抽出した各色の階調データに基づいてライトバルブ１４２を駆動する。
【００２０】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した映像となる。液晶ライトバルブを透過した赤、緑、青の光の映像は、図示省略したダイクロイックプリズムにより合成されて投写レンズ１４３に入射する。投写レンズ１４３は、入射した映像を拡大するレンズであり、入射した映像を拡大してスクリーンＳＣに投写する。
【００２１】
通信部１８は、ＩＥＥＥ８０２．１１の通信規格に従った通信を行う機能を有しており、同じ通信規格に従った通信を行う他の装置と通信を行う。なお、通信部１８が行う通信は、ＩＥＥＥ８０２．１１の通信規格に限定されるものではなく、Bluetooth（登録商標）の通信規格に従った無線通信など、他の通信規格に従った通信であってもよい。また、通信部１８が行う通信は、無線通信に限定されるものではなく、有線の通信であってもよい。
【００２２】
映像処理部１３は、外部装置から供給される映像信号やＯＳＤ部１５から供給されるＯＳＤ信号などを取得する。映像処理部１３は、複数の映像処理機能を備えており、供給された映像信号に画像処理を施し、投写する映像の画質を調整する。また、映像処理部１３は、ＯＳＤ部１５からＯＳＤ信号が供給された場合には、ＯＳＤ信号を重畳した映像信号を表示部１４へ供給する。
【００２３】
制御部１０は、ＣＰＵ（Central Processing Unit）、ＲＯＭ（Read Only Memory）及びＲＡＭ（Random Access Memory）を備えたマイクロコンピューターであり、本発明に係る制御装置の一例である。ＲＯＭに記憶されているプログラムをＣＰＵが実行すると、プロジェクター１においては、制御部１０が各部を制御し、外部装置から入力された映像信号が表す映像を投写する機能や、端末装置から送られた映像信号が表す映像を投写する機能、投写している映像を表す映像信号を端末装置へ配信する機能など、各種機能が実現する。
【００２４】
（端末装置２の構成）
図３は、端末装置２のハードウェア構成の一例を示した図である。制御部２１は、ＣＰＵやＲＡＭ、不揮発性メモリを備えており、ＣＰＵが不揮発性メモリに記憶されているプログラムを実行すると、スマートフォンのオペレーティングシステムが実現する。
【００２５】
タッチパネル２３は、表示装置（例えば液晶ディスプレイ）と位置入力装置とが一体化した装置である。タッチパネル２３は、端末装置２を操作するための各種画面や、後述する撮像部２８で得られた映像、プロジェクター１から配信された映像信号が表す映像などを表示する。また、タッチパネル２３は、表示装置上においてユーザーが指又はスタイラスペンで触れた位置を示す情報を制御部２１へ出力する。制御部２１は、表示装置で表示されている画面と、タッチパネル２３から出力された情報に基づいてユーザーの操作を特定し、特定した操作に応じた処理を実行する。操作部２４は、端末装置２を操作するためのボタンを備えている。通信部２５は、移動体通信網を介して無線通信を行う通信インターフェースとして機能する。近距離通信部２６は、ＩＥＥＥ８０２．１１の通信規格に従った通信を行う機能を有しており、同じ通信規格に従った通信を行う他の装置と通信を行う。なお、近距離通信部２６が行う通信は、ＩＥＥＥ８０２．１１の通信規格に限定されるものではなく、Bluetooth（登録商標）の通信規格に従った無線通信など、他の通信規格に従った通信であってもよい。撮像部２８は、撮像素子や撮像素子上に被写体の像を結像するレンズを備えており、撮像素子に結像した像を示す画像データを生成する。
【００２６】
音声処理部２７は、マイクロホンとスピーカを有している。音声処理部２７は、端末装置２同士が音声通話を行う場合、通話相手の音声に係るデジタル信号が通信部２５から供給されると、供給されたデジタル信号をアナログ信号に変換する。このアナログ信号は、スピーカへ供給され、スピーカからは、通話相手の音声が放音される。また、音声処理部２７は、マイクロホンが音声を収音すると、収音した音声をデジタル信号に変換する。音声処理部２７は、端末装置２で音声通話を行う場合、ユーザーの音声を変換したデジタル信号を通信部２５へ供給する。このデジタル信号は、通信部２５から移動体通信網へ送信され、通話相手の端末装置２へ送信される。
【００２７】
記憶部２２は、不揮発性メモリであり、各種アプリケーションプログラム（以下、アプリと称する）やアプリが使用するデータを記憶する。本実施形態においては、記憶部２２は、同じく記憶部２２に記憶されている情報であって、無線通信によりプロジェクター１へ接続するための接続情報を取得し、取得した情報に基づいてプロジェクター１に無線接続して通信を行う機能や、プロジェクター１へ映像信号を無線通信で送る機能、プロジェクター１から送信される映像信号が表す映像を表示する機能などを実現する映像表示アプリを記憶している。
【００２８】
（端末装置２の機能構成）
図４は、映像表示アプリを実行することにより実現する機能の構成を示した機能ブロック図である。
第１取得部２０１は、無線通信によりプロジェクター１へ接続するための接続情報を記憶部から取得する。接続部２０２は、第１取得部２０１が取得した接続情報に基づいて近距離通信部２６を制御し、プロジェクター１へ無線通信により接続する。第２取得部２０３は、近距離通信部２６を制御し、プロジェクター１の状態を表すステータス情報をプロジェクター１から取得する。判断部２０４は、第２取得部２０３が取得したステータス情報が、映像を表示している内容であるか判断する。第３取得部２０５は、判断部２０４の判断結果に応じて、プロジェクター１からプロジェクター１が投写している映像の映像信号を取得する。表示制御部２０６は、第３取得部２０５が取得した映像信号の映像が表示されるようにタッチパネル２３を制御する。
【００２９】
（実施形態の動作例）
次に本実施形態の動作例について、図５〜８を用いて説明する。図５は、端末装置２が行う処理の流れを示したフローチャートであり、図６は、プロジェクター１が行う処理の流れを示したフローチャートである。また、図７、８は、端末装置２に表示される画面の一例を示した図である。なお、以下の説明においては、予め端末装置２において、プロジェクター１へ無線接続するための設定がなされており、端末装置２Ａ、２Ｂの両方がプロジェクター１に無線接続されていない状態からの動作の一例について説明を行う。また、以下の説明において、端末装置２の各部を区別して説明する必要がある場合、端末装置２Ａの各部については、符号の末尾に「Ａ」を付し、端末装置２Ｂの各部については、符号の末尾に「Ｂ」を付して説明を行う。
【００３０】
端末装置２ＡのユーザーＡは、端末装置２Ａで選択した映像をプロジェクター１で投写する場合、端末装置２Ａをプロジェクター１へ無線接続させる操作をタッチパネル２３Ａにおいて行う。この操作が行われると、制御部２１Ａは、図５に示したフローチャートの処理を開始し、まず、接続情報を記憶部２２から取得し、取得した接続情報に基づいて、プロジェクター１への接続を要求する接続要求を、近距離通信部２６Ａを制御してプロジェクター１へ送信する（ステップＳＡ１）。
【００３１】
この接続要求を通信部１８が受信すると、制御部１０は、図６に示したフローチャートの処理を開始し、プロジェクター１の状態を表すステータス情報を、通信部１８を制御して端末装置２Ａへ送信する（ステップＳＢ１）。このステータス情報は、無線接続された通信経路で端末装置２Ａへ送られる。ここで、プロジェクター１に無線接続済みであって、映像信号をプロジェクター１へ送信して映像を投写している端末装置２がある場合、送信されるステータス情報の内容は、映像を投写している端末装置２があることを示す値（本実施形態では１）となる。一方、映像信号をプロジェクター１へ送信して映像を投写している端末装置２がない場合、送信されるステータス情報の内容は、映像を投写している端末装置２がないことを示す値（本実施形態では０）となる。端末装置２Ａが接続要求を送信したこの時点では、プロジェクター１に無線接続済みで映像信号をプロジェクター１へ送信して映像を投写している端末装置２がないため、ステータス情報の内容は０となる。
【００３２】
このステータス情報を近距離通信部２６Ａが受信すると、制御部２１Ａは、近距離通信部２６Ａが受信したステータス情報を取得する（ステップＳＡ２）。制御部２１Ａは、取得したステータス情報の内容が０である場合（ステップＳＡ３でＹＥＳ）、第１メニュー画面が表示されるようにタッチパネル２３Ａを制御する（ステップＳＡ４）。図７は、ここでタッチパネル２３Ａに表示される第１メニュー画面の一例を示した図である。この第１メニュー画面においては、ボタンＢ１とボタンＢ２が設けられている。ボタンＢ１は、プロジェクター１へ映像信号を無線通信で送信し、映像をプロジェクター１に投写させる第１モードを選択するボタンである。ボタンＢ２は、プロジェクター１から配信される映像信号を取得し、取得した映像信号が示す画像をタッチパネル２３に表示する第２モードを選択するボタンである。
【００３３】
ここで、ユーザーＡがいずれかのボタンをタップする操作を行うと、制御部２１Ａは、タップされたボタンを判断する。ユーザーＡが、タッチパネル２３においてボタンＢ１をタップする操作を行った場合（ステップＳＡ５でＹＥＳ）、制御部２１Ａは、第１モードを選択する（ステップＳＡ６）。制御部２１Ａは、第１モードを選択すると、端末装置２Ａを一意に識別する端末識別情報と、第１モードを示すモード情報を、近距離通信部２６Ａを制御してプロジェクター１へ送信する（ステップＳＡ７）。
【００３４】
この識別情報及びモード情報を通信部１８が受信すると（ステップＳＢ２でＹＥＳ）、制御部１０は、受信した識別情報とモード情報とを対応付けて記憶部１２に記憶する（ステップＳＢ３）。また、制御部１０は、受信したモード情報が、第１モードを示す内容である場合（ステップＳＢ４でＹＥＳ）、ステータス情報の内容を１にする（ステップＳＢ５）。なお、制御部１０は、第１モードとなった端末装置２との無線接続が切断された場合、ステータス情報の内容を０にする。
【００３５】
次に、端末装置２Ａとプロジェクター１とが無線接続されている状態において、ユーザーＡが、タッチパネル２３Ａを操作し、プロジェクター１で投写する映像を記憶部２２に記憶されている映像の中から選択する操作を行うと、制御部２１Ａは、ユーザーＡが選択した映像が表示されるようにタッチパネル２３Ａを制御する。また、制御部２１Ａは、ユーザーＡが選択した映像の映像信号と端末識別情報を、近距離通信部２６Ａを制御してプロジェクター１へ送信する。
【００３６】
この映像信号と端末識別情報を通信部１８が受信すると、制御部１０は、受信した端末識別情報を記憶部１２において検索する。制御部１０は、受信した端末識別情報がヒットすると、ヒットした端末識別情報に対応付けられて記憶されているモード情報を参照する。ここで制御部１０が参照するモード情報の内容は、上述の動作により、第１モードを示す内容となっている。制御部１０は、参照したモード情報の内容が第１モードを示す内容である場合、映像処理部１３及び表示部１４を制御し、端末装置２Ａから送信された映像信号が示す映像をスクリーンＳＣに投写する。
【００３７】
次に端末装置２ＢのユーザーＢは、スクリーンＳＣに投写されている映像を端末装置２Ｂに表示させる場合、端末装置２Ｂをプロジェクター１へ無線接続させる操作をタッチパネル２３Ｂにおいて行う。この操作が行われると、制御部２１Ｂは、プロジェクター１への接続を要求する接続要求を、近距離通信部２６Ｂを制御してプロジェクター１へ送信する（ステップＳＡ１）。
【００３８】
この接続要求を通信部１８が受信すると、制御部１０は、ステータス情報を、通信部１８を制御して端末装置２Ｂへ送信する。ここでは、既に端末装置２Ａが、プロジェクター１に無線接続して映像をプロジェクター１で投写しているため、端末装置２Ｂへ送信されるステータス情報の内容は、映像を投写している端末装置２があることを示す値（本実施形態では１）となる。
【００３９】
このステータス情報を近距離通信部２６Ｂが受信すると、制御部２１Ｂは、近距離通信部２６Ｂが受信したステータス情報を取得する（ステップＳＡ２）。制御部２１Ｂは、取得したステータス情報の内容が１である場合（ステップＳＡ３でＮＯ）、第２メニュー画面が表示されるようにタッチパネル２３Ｂを制御する（ステップＳＡ８）。図８は、ここでタッチパネル２３Ｂに表示される第２メニュー画面の一例を示した図である。このメニュー画面においては、ボタンＢ３とボタンＢ４が設けられている。ボタンＢ３は、上述の第２モードを選択するボタンであり、ボタンＢ４は、無線接続を切断する処理を実行するボタンである。
【００４０】
ここで、ユーザーＢが、第２メニュー画面においてボタンＢ４をタップする操作を行うと、制御部２１Ｂは、無線接続の切断を要求する切断要求を、近距離通信部２６Ｂを制御してプロジェクター１へ送信する（ステップＳＡ１１）。この切断要求を通信部１８が受信すると（ステップＳＢ２でＮＯ，ステップＳＢ７でＹＥＳ）、制御部１０は、端末装置２Ｂとの無線接続を切断する（ステップＳＢ８）。
【００４１】
一方、ユーザーＢが、第２メニュー画面において、ボタンＢ３をタップする操作を行うと、制御部２１Ｂは、第２モードを選択する（ステップＳＡ１０）。制御部２１Ｂは、第２モードを選択すると、端末装置２Ｂを一意に識別する端末識別情報と、第２モードを示すモード情報を、近距離通信部２６Ｂを制御してプロジェクター１へ送信する（ステップＳＡ７）。
【００４２】
この識別情報及びモード情報を通信部１８が受信すると（ステップＳＢ２でＹＥＳ）、制御部１０は、受信した識別情報とモード情報とを対応付けて記憶部１２に記憶する（ステップＳＢ３）。また、制御部１０は、受信したモード情報が、第２モードを示す内容である場合（ステップＳＢ４でＮＯ）、投写されている映像の映像信号を、通信部１８を制御して端末装置２Ｂへ送信する（ステップＳＢ６）。
プロジェクター１から送信された映像信号を近距離通信部２６Ｂが受信すると、制御部２１Ｂは、受信した映像信号が示す映像が表示されるようにタッチパネル２３を制御する。これにより、ユーザーＢは、スクリーンＳＣに投写されている映像を、端末装置２Ｂにより手元で見ることができる。
【００４３】
なお、第１メニューが表示されている状態において、ユーザーＡがボタンＢ２をタップする操作を行った場合（ステップＳＡ５でＮＯ）、制御部２１Ａは、第２モードを選択し（ステップＳＡ１０）、端末識別情報とモード情報をプロジェクター１へ送信する（ステップＳＡ７）。
【００４４】
本実施形態においては、端末装置２Ａが第１モードとなっている場合、端末装置２Ｂにおいては、図８のメニュー画面が表示され、第１モードを選択することができないため、端末装置２Ｂを第１モードにすることができず、プロジェクター１に投写する画像を端末装置２Ａ以外の端末装置２により変更されることがない。
【００４５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００４６】
上述した実施形態においては、端末装置２は、内容が０であるステータス情報を受信した場合、図７に例示した第１メニュー画面を表示するが、第１メニュー画面において、ボタンＢ２に替えて図８に示したボタンＢ４を表示するようにしてもよい。
【００４７】
上述した実施形態においては、端末装置２Ａが第１モードとなっており、プロジェクター１においてステータス情報が１となっている状態において、端末装置２Ｂがプロジェクター１へ接続要求を送信すると、図８のメニュー画面を表示する構成となっているが、この構成に限定されるものではない。
例えば、端末装置２は、プロジェクター１から送信されたステータス情報の内容が１である場合、メニュー画面を表示せずに第２モードを選択して端末装置２の識別情報と選択したモードのモード情報を送信し、プロジェクター１は、第２モードを選択した端末装置２へ、投写されている映像を送信するようにしてもよい。
【００４８】
また、上述した実施形態においては、ステータス情報が０となっている状態において、端末装置２がプロジェクター１へ接続要求を送信すると、図７のメニュー画面を表示する構成となっているが、この構成に限定されるものではない。
例えば、端末装置２は、プロジェクター１から送信されたステータス情報の内容が０である場合、メニュー画面を表示せずに第１モードを選択して端末装置２の識別情報及び選択したモードのモード情報を送信し、プロジェクター１は、第１モードを選択した端末装置２から送信される映像をスクリーンＳＣに投写するようにしてもよい。
【００４９】
上述した実施形態においては、特開２００８−１５４０２号公報に開示されている技術を用い、端末装置２をプロジェクター１へ接続するための情報をプロジェクター１で二次元コードにより表示し、端末装置２は、撮像部２８で撮像した二次元コードの映像からプロジェクター１へ接続するための情報を取得し、取得した情報を用いてプロジェクター１へ無線接続するようにしてもよい。
また、この構成においては、プロジェクター１は、投写する二次元コードにステータス情報を含めるようにしてもよい。この構成の場合、端末装置２は、撮像した二次元コードから取得したステータス情報の内容が０である場合、図７に示したメニュー画面を表示し、ユーザーに第１モードと第２モードのいずれかを選択させるようにしてもよい。また、端末装置２は、撮像した二次元コードから取得したステータス情報の内容が１である場合、図８に示したメニュー画面を表示し、第２モードを選択するか、無線接続を切断するかを選択させるようにしてもよい。
また、二次元コードにステータス情報を含める構成においても、端末装置２は、二次元コードから取得したステータス情報の内容が１である場合、メニュー画面を表示せずに第２モードを選択して端末装置２の識別情報とモード情報を送信し、プロジェクター１は、第２モードを選択した端末装置２へ、投写されている映像の映像信号を送信するようにしてもよい。
【００５０】
上述した実施形態においては、端末装置２は、取得したステータス情報の内容が１である場合、映像を共有するか否かを選択するよう促すメッセージとして、例えば、「映像を共有しますか？」とのメッセージを表示し、また、共有することを選択するための「ＹＥＳ」のボタンと、共有しないことを選択するための「ＮＯ」のボタンを表示し、ＹＥＳのボタンをタップする操作が行われた場合には、第２モードを選択し、ＮＯのボタンをタップする操作が行われた場合、プロジェクター１との接続を切断するようにしてもよい。
【００５１】
上述した実施形態においては、端末装置２から映像信号を取得して映像を表示する装置は、液晶プロジェクターとなっているが、デジタルミラーデバイスを用いたプロジェクターでもよい。また、映像を表示する装置は、プロジェクターに限定されず、液晶ディスプレイ装置や有機ＥＬディスプレイ、電気泳動型の表示装置など他の表示装置であってもよい。
【００５２】
上述した実施形態においては、無線通信によりプロジェクター１と端末装置２とが接続されているが、有線の通信ネットワークを介してプロジェクター１と端末装置２とが接続される構成であってもよい。
【００５３】
上述した実施形態においては、プロジェクター１が無線通信で送信された映像信号の映像を投写しているが、ＲＧＢケーブルやＨＤＭＩ（登録商標）ケーブルで接続されたコンピューター装置から映像信号を取得し、取得した映像信号を投写している状態で端末装置２がプロジェクター１に接続するときも、上述したように、いずれかのモードを選択するようにしてもよい。
【００５４】
上述した実施形態においては、接続要求を送信した端末装置２は、図７又は図８の画面を表示するが、この構成に限定されるものではなく、他のメニュー画面を表示してもよい。例えば、ステップＳＡ４で表示するメニュー画面を図９に例示したメニュー画面とし、ステップＳＡ８で表示するメニュー画面を図１０に例示したメニュー画面としてもよい。図９に示したメニュー画面は、「後で選択」のボタンＢ５を有する点が第１メニュー画面と異なり、図１０に示したメニュー画面は、「後で選択」のボタンＢ６を有する点が第２メニュー画面と異なる。
端末装置２は、図９に示したメニュー画面が表示されている状態において、ボタンＢ５をタップする操作が行われた場合、第１モードと第２モードのいずれでもない第３モードを選択する。また、端末装置２は、図１０に示したメニュー画面が表示されている状態において、ボタンＢ５をタップする操作が行われた場合も、第３モードを選択する。
端末装置２は、第３モードを選択すると、プロジェクター１との接続を維持しつつ、映像信号をプロジェクター１へ送信せず、また、プロジェクター１から送信される映像信号を受信しない。つまり、端末装置２は、映像をプロジェクター１で投写せず、プロジェクター１が投写している映像を表示（共有）しないモードとなる。第３モードを選択している端末装置２は、記憶部２２に記憶されている映像をタッチパネル２３に表示させることができる。
なお、プロジェクター１に接続していて第３モードを選択している端末装置２は、ユーザーの操作に応じて、図９又は図１０のメニュー画面を表示する。ユーザーが、表示されたメニュー画面において、ボタンＢ１又はボタンＢ３をタップする操作を行うと、端末装置２は、タップされたボタンに対応したモードを選択し、選択したモードに応じて、プロジェクター１による映像の投写や、プロジェクター１が投写している映像のタッチパネル２３での表示を行う。
【００５５】
本発明に係る装置において実行されるプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリーなどのコンピューター読取り可能な記録媒体に記憶した状態で提供し、各装置にインストールしてもよい。また、通信網を介してプログラムをダウンロードして各装置にインストールしてもよい。
【符号の説明】
【００５６】
１…プロジェクター、２、２Ａ、２Ｂ…端末装置、１０…制御部、１１…操作部、１２…記憶部、１３…映像処理部、１４…表示部、１５…ＯＳＤ部、１８…通信部、２１…制御部、２２…記憶部、２３…タッチパネル、２４…操作部、２５…通信部、２６…近距離通信部、２７…音声処理部、２８…撮像部、１４１…光源、１４２…ライトバルブ、１４３…投写レンズ、１４４…駆動回路、２０１…第１取得部、２０２…接続部、２０３…第２取得部、２０４…判断部、２０５…第３取得部、２０６…表示制御部、ＳＣ…スクリーン、ＰＳ…映像表示システム、Ｂ１〜Ｂ４…ボタン
【図１】
0006379938.tif 000002
【図２】
0006379938.tif 000003
【図３】
0006379938.tif 000004
【図４】
0006379938.tif 000005
【図５】
0006379938.tif 000006
【図６】
0006379938.tif 000007
【図７】
0006379938.tif 000008
【図８】
0006379938.tif 000009
【図９】
0006379938.tif 000010
【図１０】
0006379938.tif 000011